(57)【特許請求の範囲】
【請求項１】
金属製の基板の上面に複数の鉄筋トラスが並設された鉄筋トラス付きデッキプレートを鉄筋トラスの長さ方向と直交する方向に基板が連なるように複数個並べて組み立てられてなる床版ユニットにおいて、前記基板が連なる方向に沿う床版ユニットの中心線に対して線対称の位置に金属製の棒材が配置されており、各棒材は各鉄筋トラスの鉄筋の下方を通り、前記鉄筋との交差位置において鉄筋に固定されてなる床版ユニット。
【請求項２】
前記鉄筋トラス付きデッキプレートは、鉄筋トラスが上端筋と下端筋とラチス筋とを含んでおり、前記の各棒材は各鉄筋トラスの上端筋の下方を通り、前記上端筋との交差位置において上端筋に固定されている請求項１に記載の床版ユニット。
【請求項３】
金属製の基板の上面に複数の鉄筋トラスが並設された鉄筋トラス付きデッキプレートを用いて床版ユニットを地上で組み立てるための床版地組工法であって、複数の鉄筋トラス付きデッキプレートを地上の作業場に搬入する工程と、前工程で搬入された複数の鉄筋トラス付きデッキプレートを前記作業場に設置された架台上に鉄筋トラスの長さ方向と直交する方向へ基板が連なるように敷き並べて建造物の相対する梁間のスペースに対応する大きさおよび形状の床版ユニットを組み立てる工程と、前工程で組み立てられた床版ユニットに前記基板が連なる方向に沿う床版ユニットの中心線に対して線対称の位置に金属製の棒材を配置して各鉄筋トラスの鉄筋との交差位置において各棒材を鉄筋に固定する工程と、吊り具を構成する水平な枠材に所定の間隔で吊り下げられた複数本のワイヤーの下端部を前記の各棒材に接続する工程と、前記吊り具をクレーンにより引き上げて床版ユニットを吊り上げることにより床版ユニットを仮置き場へ搬送する工程とを順次実行して床版ユニットを地上で組み立てることを特徴とする床版地組工法。
【請求項４】
前記の各棒材は、各鉄筋トラスの鉄筋の下方を通り、各鉄筋との交差位置において金属製の線材により鉄筋に結束されることにより固定される請求項３に記載の床版地組工法。
【請求項５】
前記吊り具は、２本の平行な枠材のそれぞれに所定の間隔で複数本の玉掛けワイヤーが吊り下げられたものである請求項３に記載の床版地組工法。
【請求項６】
前記吊り具は、１本の枠材に所定の間隔で複数本の玉掛けワイヤーが吊り下げられたものである請求項３に記載の床版地組工法。
【請求項７】
請求項３〜６のいずれかに記載の床版地組工法を繰り返し実行することにより仮置き場に積み重ねられた床版ユニットを、最上位置のものから順々に前記吊り具により吊り上げて建築物の床施工階へ搬送することにより各階の床を施工することを特徴とする床の施工方法。
【発明の詳細な説明】
【技術分野】
【０００１】
この発明は、金属製の基板の上面に複数の鉄筋トラスが並設された鉄筋トラス付きデッキプレートを鉄筋トラスの長さ方向と直交する方向に複数連ねて製作される床版ユニットと、その床版ユニットを地上で組み立てるための床版地組工法と、地上で組み立てられた床版ユニットを用いて建造物の床を施工する床の施工方法とに関する。
【背景技術】
【０００２】
従来、鉄骨造の建築物の床を施工するのに、施工すべき建築物の骨組みが完成した後、所定の枚数を梱包した鉄筋トラス付きデッキプレート（以下、「鉄筋トラス付きデッキプレート」または単に「デッキプレート」という。）の複数個を床施工階までクレーンで吊り上げて仮置きし、床の施工位置に敷き込んだ後、作業者が現場でデッキプレートの上に乗ってデッキプレートの端部等を１枚、1枚梁に溶接している。しかし、この種の作業は、「労働安全衛生法」に定められた「高所作業」となるため、作業者の墜落、転落災害を防止するための諸施設やデッキプレートや作業工具などの飛来、落下を防止するための安全設備をスラブ下方の全域に設置する必要がある（特許文献１の従来の技術の欄および特許文献２の発明が解決しようとする課題の欄参照）。
【０００３】
上記した問題に鑑み、地上において、複数枚のデッキプレートを連ねたものに複数本の小梁を力骨として固着させた構造物（以下、「デッキプレート構造物」という。）を組み立て、これに玉掛けワイヤーの下端部を引っ掛けて吊り上げ、仮置き場へ運んで積み上げた後、つぎに最上位置のデッキプレート構造物に前記の玉掛けワイヤーの下端部を引っ掛けて吊り上げ、建築物の床施工階へ運び上げるという工法が提案された（特許文献１、２参照）。
【先行技術文献】
【特許文献】
【０００４】
【特許文献１】特開平７−６２８７５号公報
【特許文献２】特許第５７２３２３５号公報
【発明の概要】
【発明が解決しようとする課題】
【０００５】
上記の工法では、デッキプレート構造物の小梁に玉掛けワイヤーの下端部を引っ掛けるための吊り上げ用フックを少なくとも４箇所、溶接により取り付ける必要があるが、吊り下げ用フックの設置箇所が少ない場合、デッキプレート構造物を吊り上げたときのバランスが悪く、デッキプレート構造物を安定して搬送することができない。また、デッキプレート構造物の吊り下げ時のバランスを良くするために吊り下げ用フックの設置個数を増すこともできるが、本設の鉄骨（小梁）に仮設材としてのフックを溶接することは、溶接箇所が増すにしたがって、鉄骨の材質に急加熱、急冷による悪影響を及ぼし、鉄骨を変質させるという問題がある。
【０００６】
この発明は、上記の問題に着目してなされたもので、吊り下げ用フックを設置することなく安定して吊り下げることが可能な床版ユニットと、その床版ユニットの組立および仮置き場への搬送が効率的かつ安全に行える床版地組工法と、地組された床版ユニットを効率的かつ安全に建造物の床施工階まで搬送して床を施工できる床の施工方法とを提供することを目的とする。
【０００７】
この発明による床版ユニットは、金属製の基板の上面に複数の鉄筋トラスが並設された鉄筋トラス付きデッキプレートを鉄筋トラスの長さ方向と直交する方向に基板が連なるように複数個並べて組み立てられてなるものであって、前記基板が連なる方向に沿う床版ユニットの中心線に対して線対称の位置に金属製の棒材が配置されている。各棒材は各鉄筋トラスの鉄筋の下方を通り、前記鉄筋との交差位置において鉄筋に固定されている。
【０００８】
この発明によると、各棒材が複数の鉄筋トラス付きデッキプレートが連ねられた状態を保持するので、床版ユニットの変形や分断が防止される。また、各棒材を各鉄筋トラスの鉄筋の下方を通し、鉄筋との交差位置において鉄筋に固定するだけであるから、床版ユニットの製作が容易である。床版ユニットの搬送に際しては、線対称の位置に配置された各棒材に複数本のワイヤーの下端部を接続することで、床版ユニットを安定して吊り下げることができる。さらに、各棒材は各鉄筋トラスの鉄筋の下方を通るので、床版ユニットの吊り下げ時、各棒材が鉄筋を介して床版ユニットの荷重を安定して支持する。
【０００９】
この発明の好ましい実施態様においては、前記鉄筋トラス付きデッキプレートは、鉄筋トラスが上端筋と下端筋とラチス筋とを含んでおり、前記の各棒材は各鉄筋トラスの上端筋の下方を通り、前記上端筋との交差位置において上端筋に固定されている。
【００１０】
この発明による床版地組工法は、金属製の基板の上面に複数の鉄筋トラスが並設された鉄筋トラス付きデッキプレートを用いて床版ユニットを地上で組み立てるためのものであって、複数の鉄筋トラス付きデッキプレートを地上の作業場に搬入する工程と、前工程で搬入された複数の鉄筋トラス付きデッキプレートを前記作業場に設置された架台上に鉄筋トラスの長さ方向と直交する方向へ基板が連なるように敷き並べて建造物の相対する梁間のスペースに対応する大きさおよび形状の床版ユニットを組み立てる工程と、前工程で組み立てられた床版ユニットに前記基板が連なる方向に沿う床版ユニットの中心線に対して線対称の位置に金属製の棒材を配置して各鉄筋トラスの鉄筋との交差位置において各棒材を鉄筋に固定する工程と、吊り具を構成する水平な枠材に所定の間隔で吊り下げられた複数本の用ワイヤーの下端部を前記の各棒材に接続する工程と、前記吊り具をクレーンにより引き上げて床版ユニットを吊り上げることにより床版ユニットを仮置き場へ搬送する工程とを順次実行して床版ユニットを地上で組み立てることを特徴とする。
【００１１】
この発明によると、地上の作業場において、各棒材を各鉄筋トラスの鉄筋の下方を通して鉄筋との交差位置において鉄筋に固定することにより、床版ユニットを製作することができ、線対称の位置に配置された各棒材に複数本のワイヤーを接続することにより、床版ユニットを安定して吊り下げることができ、床版ユニットを仮置き場まで迅速かつ安全に搬送できる。
【００１２】
好ましい実施態様においては、前記の各棒材は、各鉄筋トラスの鉄筋の下方を通り、各鉄筋との交差位置において金属製の線材により鉄筋に結束されることにより固定している。
【００１３】
この実施態様によると、各棒材は金属製の線材により鉄筋に結束することにより固定されるので、溶接による固定と比較して鉄筋に熱による悪影響を与えることがなく、鉄筋の伸び性能を低下させない。なお、各棒材は、床の施工時、床版ユニットより抜き取って再利用することが可能である。
【００１４】
前記吊り具は、好ましくは、２本の平行な枠材のそれぞれに所定の間隔で複数本の玉掛けワイヤーが吊り下げられたものであるが、これに限らず、１本の枠材に所定の間隔で複数本の玉掛けワイヤーが吊り下げられたものであってもよい。
【００１５】
この発明による床の施工方法は、上記した床版地組工法を繰り返し実行することにより仮置き場に積み重ねられた床版ユニットを、最上位置のものから順々に前記吊り具により吊り上げて建築物の床施工階へ搬送することにより各階の床を施工するものである。
【００１６】
この発明によると、床版ユニットは吊り具により安定して吊り上げられるので、床版を建造物の床施工階まで迅速かつ安全に搬送することができる。
【発明の効果】
【００１７】
この発明によれば、吊り下げ用フックを多数個設置することがなく安定して吊り上げることが可能な床版ユニットが得られる。また、その床版ユニットの組立、仮置き場への搬送、さらには床施工階への搬送を効率的かつ安全に行える。
【図面の簡単な説明】
【００１８】
【図１】この発明に係る床版地組工法の流れを示すフローチャートである。
【図２】この発明に係る床版地組工法の実施に用いられる鉄筋トラス付きデッキプレートの正面図である。
【図３】鉄筋トラス付きデッキプレートの搬入工程を示す説明図である。
【図４】床版ユニットの組立工程を示す説明図である。
【図５】棒材組付工程を示す説明図である。
【図６】結束工程を示す説明図である。
【図７】この発明による床版地組工法を実施して製作された床版ユニットの側面図である。
【図８】玉掛け工程を示す説明図である。
【図９】床版ユニット仮置き工程を示す説明図である。
【図１０】他の実施形態の玉掛け工程を示す説明図である。
【図１１】床版ユニットにより施工された床を示す平面図である。
【発明を実施するための形態】
【００１９】
図１は、この発明の一実施例である床版地組工法の流れを示している。この床版地組工法は、地上の作業場において複数の鉄筋トラス付きデッキプレートを用いて床版ユニットを組み立てた後、その床版ユニットを吊り上げて仮置き場へ搬送するのに実施されるもので、デッキプレート搬入工程（図中、「ＳＴ１」で示す。以下同様）、床版ユニット組立工程（ＳＴ２）、棒材組付工程（ＳＴ３）、結束工程（ＳＴ４）、玉掛け工程（ＳＴ５）、床版ユニット搬送工程（ＳＴ６）、床版ユニット仮置き工程（ＳＴ７）を含んでいる。上記の各工程は、作業場へのデッキプレートの搬入がなくなるまで、すなわち、図１のＳＴ８が「ＹＥＳ」になるまで繰り返し実行される。
【００２０】
図２は、この発明の実施に用いられるデッキプレート１の一例を示している。なお、この発明は、図示例のデッキプレート１以外のデッキプレートを用いることもできる。
図示のデッキプレート１は、亜鉛メッキ鋼板よりなる金属製の基板１０と、基板１０上に一定の間隔Ｌで並設された複数の鉄筋トラス１１とを備えている。なお、以下の説明において、鉄筋トラス１１が並べられる方向を「幅方向」、鉄筋トラス１１が延びる方向を「長さ方向」という。基板１０上には、長さ方向に沿って所定の間隔で複数の吊り材１２が平行に配設され、各吊り材１２の頂部に各鉄筋トラス１１の上端筋１３が溶接により固着されて各鉄筋トラス１１が吊持されている。
【００２１】
各鉄筋トラス１１は、上端筋１３と、上端筋１３と平行な下端筋１４と、上端筋１３と下端筋１４との間に設けられるラチス筋１５とを含んでおり、吊り材１２と直交する方向、すなわち、長さ方向に配設されている。基板１０の上面には長さ方向に沿って複数の補強用リブ１６が一体に形成されている。また、基板１０の両側縁には隣のデッキプレートと繋ぐための継ぎ手部１７が一体に形成されている。
【００２２】
図１に戻って、デッキプレート搬入工程（ＳＴ１）では複数のデッキプレート１が地上の作業場に搬入される。地上の作業場には、図３に示されるように、２本の架台２，２が平行に設置されており、この架台２，２上に複数のデッキプレート１が段積み状態で仮置きされている。なお、架台２，２にはＨ形鋼などの鋼材が用いられるが、これに限られるものではない。
【００２３】
次の床版ユニット組立工程（ＳＴ２）では、図４に示されるように、前工程で搬入された複数のデッキプレート１を架台２，２上に鉄筋トラス１１の長さ方向と直交する方向へ基板１０が連なるように敷き並べて建造物の相対する梁間のスペースに対応する大きさおよび形状の床版ユニット３を組み立てる。この作業は二人の作業員がデッキプレート１の両端部を持って移動させることにより行われる。基板１０と隣のデッキプレート１の基板１０とは継ぎ手部１７を介して連結される。
【００２４】
次の棒材組付工程（ＳＴ３）では、図５に示されるように、前工程で組み立てられた床版ユニット３に２本の金属製の棒材４，４が組み付けられる。各棒材４は基板１０が連なる方向に沿う床版ユニット３の中心線ｃに対して線対称の位置に全長にわたり配置される。棒材４として鋼棒が用いられるもので、図７に示されるように、各棒材４は各鉄筋トラス１１の上端筋１３の下方であって下端筋１４の上方を通っており、両端は両端位置のデッキプレート１，１まで延びている。各棒材４に用いられる棒鋼として直径が上端筋１３の直径以上のものが用いられる。また、この実施例では、各棒材４は両端の端部材１９，１９の内側に位置させている。なお、棒材４の組付本数は必ずしも２本である必要はなく、例えば、各棒材４，４の組付位置に対して中心線ｃ寄りに、さらに棒材を１本ずつ組み付けてもよい。また、各棒材４は複数本の棒材を繋ぎ合わせたものであってもよい。
【００２５】
次の結束工程（ＳＴ４）では、図６に示されるように、各棒材４を鉄筋トラス１１の上端筋１３との交差位置において上端筋１３に固定する。各棒材４の上端筋１３への固定は溶接によることもできるが、この実施例では、上端筋１３が溶接による熱の影響を受けないようにするために、各棒材４は各上端筋１３との交差位置において金属製の線材４０により上端筋１３に結束している。上端筋１３に対して各棒材４を溶接により固定する場合は各棒材４は両端の端部材１９，１９の外側に位置させるが、この実施例のように結束により固定する場合は各棒材４は両端の端部材１９，１９の外側でも内側でもよい。なお、各棒材４の上端筋１３への結束位置は棒材４の上端筋１３との全ての交差位置において行ってもよいが、選択されたいくつかの交差位置で行ってもよい。この結束工程により複数のデッキプレート１は連なった状態が保持され、建造物の相対する梁間のスペースに対応する大きさおよび形状の床版ユニット３が完成する。上記の棒材組付工程および結束工程の各作業は、図示のように、ひとりの作業員によって実施することができる。
【００２６】
図８は、次の玉掛け工程（ＳＴ５）および床版ユニット搬送工程（ＳＴ６）を示している。玉掛け工程（ＳＴ５）では、吊り具５を構成する矩形枠５０を介して複数本の玉掛けワイヤー６ａ，６ｂを垂下させ、各玉掛けワイヤー６ａ，６ｂの下端に設けられたフック６１を架台２，２上に支持された床版ユニット３の各棒材４，４に引っ掛ける。前記吊り具５の矩形枠５０は、床版ユニット３の外形にほぼ一致する形状であり、２本の平行な棒状の枠材５１ａ，５１ｂと、枠材５１ａ，５１ｂの両端間を結ぶ２本の端枠材５２と、中間の３箇所に設けられる中間枠材５３，５４，５５とを含んでいる。
【００２７】
各枠材５１ａ，５１ｂの上面の中間枠材５３，５４，５５が設けられる位置にはクレーン（図示せず）より吊り下げられた複数本のワイヤーロープ７の下端部が繋がれる接続部５６が形成されている。また、各枠材５１ａ，５１ｂの下面には一定間隔毎に同様の接続部５７が形成され、一方の枠材５１ａの各接続部５７より床版ユニット３の一側縁に達する玉掛けワイヤー６ａを、他方の枠材５１ｂの各接続部５７より床版ユニット３の他側縁に達する玉掛けワイヤー６ｂを、それぞれ垂下させている。各玉掛けワイヤー６ａ，６ｂとして同一長さのフック付きワイヤーロープが用いられ、上端部のシンブル６２が前記接続部５７に接続され、下端部のシンブル６３には床版ユニット３の各棒材４に引っ掛けられるフック６１が取り付けられている。
【００２８】
なお、吊り具５は、上記した実施例のものに限らず、例えば図１０に示すように、１本の枠材５８により構成されたものであってもよい。図１０の実施例では、１本の枠材５８より一方の棒材４に達する玉掛けワイヤー６ａを例えば右斜め下方に降ろし、同じ枠材５８より床版ユニット３の他方の棒材４に達する玉掛けワイヤー６ｂを例えば左斜め下方に降ろしている。各玉掛けワイヤー６ａ，６ｂとして、上記した実施例と同様の構成のフック付きワイヤーロープが用いられており、それぞれの長さは同一長さに設定されている。図１０の実施例の場合、床版ユニット３の各棒材４は上記の実施例より中心線ｃ寄りに配置するのが望ましい。
【００２９】
床版ユニット搬送工程（ＳＴ６）では、吊り具５をクレーン（図示せず）より下ろされたワイヤーロープ７により引き上げることにより床版ユニット３を吊り上げ、これにより床版ユニット３を仮置き場へ搬送する。搬送されてきた床版ユニット３は、次の床版ユニット仮置き工程（ＳＴ７）で仮置き場に置かれるもので、上記した工程ＳＴ１〜ＳＴ７が繰り返されることにより、搬送されてきた床版ユニット３は、図９に示すように、段積み状態で積み重ねられる。なお、図９において、８は地面上に敷かれた木製の敷板である。
【００３０】
鉄骨造の建築物の床を施工する場合、施工すべき建築物の仮組立を完了した後、仮置き場に積み重ねられた床版ユニット３を最上位置のものから順々に前記吊り具５により吊り上げて建築物の床施工階へ搬送し、図１１に示すように、施工すべき床の位置に床版ユニット３を順次位置決め固定する。なお、図中、９は支柱、９１は大梁鉄骨、９２は小梁鉄骨である。
【００３１】
上記した構成の床版ユニット３は、少なくとも２本の棒材４，４により複数のデッキプレート１が連ねられた状態が保持されるので、床版ユニット３の変形や分断が防止される。また、各棒材４を各鉄筋トラス１１の上端筋１３の下方を通し、上端筋１３との交差位置において上端筋１３に固定するだけであるから、床版ユニット３の製作が容易である。床版ユニット３の搬送に際しては、線対称の位置に配置された各棒材４，４に複数本の玉掛けワイヤー６ａ，６ｂの下端部を所定の間隔毎に引っ掛けることで、床版ユニット３を安定して吊り下げることができる。さらに、各棒材４は各鉄筋トラス１１の上端筋１３の下方を通るので、床版ユニット３の吊り下げ時、棒材４が上端筋１３を介して床版ユニット３の荷重を安定して支持する。
【００３２】
また、この発明の床版地組工法によると、地上の作業場において、各棒材４を各デッキプレート１の鉄筋トラス１１の上端筋１３の下方を通して上端筋１３との交差位置において上端筋１３に固定することにより、床版ユニット３を製作し、次に、中心線ｃに対して線対称の位置に配置された各棒材４に複数本の玉掛けワイヤー６ａ，６ｂを所定の間隔毎に引っ掛けることにより、床版ユニット３を安定して吊り下げることができ、床版ユニット３を仮置き場まで迅速かつ安全に搬送できる。
【００３３】
この場合、各棒材４が上端筋１３を介して床版ユニット３の荷重を安定して支持するので、床版ユニット３の搬送中に床版ユニット３が脱落するおそれがない。また、各棒材４は金属製の線材４０により上端筋１３に結束することにより固定されるので、溶接による固定と比較して、上端筋１３に熱による悪影響を与えず、上端筋１３の伸び性能を低下させない。また、各棒材４は、床の施工時、床版ユニット３より抜き取って再利用することも可能である。
【符号の説明】
【００３４】
１    デッキプレート
２    架台
３    床版ユニット
４    棒材
５    吊り具
６ａ，６ｂ  玉掛けワイヤー
１０  基板
１１  トラス
１３  上端筋
５１ａ，５１ｂ，５８  枠材
【要約】
【課題】吊り下げ用フックを設置することなく安定して吊り下げることが可能な床版ユニットを提供する。
【解決手段】金属製の基板１０の上面に複数の鉄筋トラス１１が並設された鉄筋トラス付きデッキプレート１を鉄筋トラス１１の長さ方向と直交する方向に基板１０が連なるように複数個並べて組み立てられてなる床版ユニット３において、前記基板１０が連なる方向に沿う床版ユニット３の中心線ｃに対して線対称の位置に金属製の棒材４が配置されており、各棒材４は各鉄筋トラス１１の上端筋１３の下方を通り、上端筋１３との交差位置において上端筋１３に固定されている。
【選択図】図７【図１】
0006017083.tif 000002
【図２】
0006017083.tif 000003
【図３】
0006017083.tif 000004
【図４】
0006017083.tif 000005
【図５】
0006017083.tif 000006
【図６】
0006017083.tif 000007
【図７】
0006017083.tif 000008
【図８】
0006017083.tif 000009
【図９】
0006017083.tif 000010
【図１０】
0006017083.tif 000011
【図１１】
0006017083.tif 000012